(57)【要約】      （修正有）【課題】ワゴンに装着することができ、また、追加的な運搬容量及び収納能力を提供する。【解決手段】ワゴンの収納バッグシステムは、拡張した形態と折り畳んだ形態との間にて可動である折り畳み式収納バッグ１２を含む。該収納バッグシステムは、該折り畳み式収納バッグ１２をワゴンの側壁に装着するコネクタを含む。【選択図】図２
2011157062.tif 000002
【特許請求の範囲】
【請求項１】
側壁を特徴とするワゴンの収納バッグシステムにおいて、
ａ）前記ワゴンの側壁に接続し、且つ拡張した形態と折り畳んだ形態との間にて可動であるようにされた折畳み式収納バッグと、
ｂ）前記折畳み式収納バッグを前記ワゴンの前記側壁に装着するコネクタとを備える、収納バッグシステム。
【請求項２】
請求項１に記載の収納バッグシステムにおいて、前記折畳み式収納バッグは、後側パネルと、カバーとを含み、前記折畳み式収納バッグの前記後側パネルには、コネクタが設けられ、前記後側パネル及びカバーは、ヒンジと、ジッパが設けられた側部端縁及び頂部端縁とにより接続された底部端縁を特徴とし、折り畳んだ形態にある折畳み式収納バッグに相応する、前記ジッパが閉じた状態にあるとき、前記折畳み式収納バッグの他の部分が前記後側パネルとカバーとの間に保持され、前記ジッパが開いた状態にあるとき、前記後側パネル及び前記折畳み式収納バッグの前記他の部分に対して回動する前記カバーは、拡張して、前記折畳み式収納バッグを拡張した形態に配置するようにした、収納バッグシステム。
【請求項３】
請求項２に記載の収納バッグシステムにおいて、前記コネクタは、前記折畳み式収納バッグの前記後側パネル上に配置されたノブコネクタを含み、該ノブコネクタは、前記ワゴンの前記側壁上に配置された相応するスロットコネクタと係合し得るようにした、収納バッグシステム。
【請求項４】
請求項１に記載の収納バッグシステムにおいて、前記ワゴンの前記側壁の回りに少なくとも部分的に巻かれるフラップを含むシートパッドを更に備える、収納バッグシステム。
【請求項５】
請求項４に記載の収納バッグシステムにおいて、前記シートパッドは、締結装置を含む上側フラップと、下側フラップとを含み、これにより、前記上側及び下側フラップは、前記ワゴンの前記側壁の回りにて互いに固定することができる、収納バッグシステム。
【請求項６】
請求項１に記載の収納バッグシステムにおいて、前記折畳み式収納バッグは、上側部分と、下側部分とを更に含み、該下側部分は、アクセサリバッグの前記下側部分が拡張した形態に拡張し、且つ折り畳んだ形態に縮退することを許容する閉鎖要素を含む、収納バッグシステム。
【請求項７】
請求項６に記載の収納バッグシステムにおいて、前記閉鎖要素は、前記折畳み式収納バッグの前記下側部分の回りに巻かれるスパイラルジッパを含む、収納バッグシステム。
【請求項８】
請求項６に記載の収納バッグシステムにおいて、前記ワゴンの第二の側壁と係合し得るようにしたアクセサリバッグを更に備え、該アクセサリバッグは、少なくとも１つのボトルホルダを含む、収納バッグシステム。
【請求項９】
請求項８に記載の収納バッグシステムにおいて、前記アクセサリバッグは、その間に中央通路が配置された１対のボトルホルダを含み、該中央通路は、前記ワゴンのハンドルを受け入れ得るようにした、収納バッグシステム。
【請求項１０】
請求項１に記載の収納バッグシステムにおいて、前記折畳み式収納バッグは、蓋と、後壁と、底部とを含み、前記収納バッグシステムは、
ｃ）前記折畳み式収納バッグの底部に装着されて、前記折畳み式収納バッグの前記折り畳んだ形態に相応する上昇位置と、前記折り畳み式収納バッグの前記拡張した形態に相応する、下降位置との間にて回動し得るように前記ワゴンに回動可能に装着し得るようにした、回動フレームと、
ｄ）前記折畳み式収納バッグの前記蓋に装着した蓋締結具と、
ｅ）前記折畳み式収納バッグの前記後壁に装着した後壁締結具と、
ｆ）前記折畳み式収納バッグの前記底部に装着した底部締結具と、を更に備え、
ｇ）前記蓋締結具は、前記底部締結具と係合し、前記折畳み式収納バッグを折り畳んだ形態に固定し得るようにされ、前記蓋締結具は、前記折畳み式収納バッグが拡張した形態にあるとき、前記後壁締結具と係合し得るようにされた、収納バッグシステム。
【請求項１１】
請求項１０に記載の収納バッグシステムにおいて、前記折畳み式収納バッグは、前記蓋締結具及び前記後壁締結具が係合したとき、前記開いた頂部を塞ぎ得るようにした前記蓋を有する開いた頂部を含む、収納バッグシステム。
【請求項１２】
請求項１０に記載の収納バッグシステムにおいて、前記蓋締結具は、挿入バックルであり、前記後壁及び底部締結具は、受け入れバックルである、収納バッグシステム。
【請求項１３】
請求項１０に記載の収納バッグシステムにおいて、前記回動フレームは、全体としてＵ字形である、収納バッグシステム。
【請求項１４】
請求項１０に記載の収納バッグシステムにおいて、前記回動フレームは、回動する態様にて前記ワゴンの後車軸と係合し得るようにした少なくとも１つのスリーブを含む、収納バッグシステム。
【請求項１５】
請求項１０に記載の収納バッグシステムにおいて、前記回動フレームは、回動する態様にて前記ワゴンの後車軸と係合し得るようにした少なくとも１つの全体としてＣ字形の端部分を含む、収納バッグシステム。
【請求項１６】
請求項１０に記載の収納バッグシステムにおいて、前記折畳み式収納バッグの前記底部は、前記回動フレームを受け入れ得るようにしたポケットを含む、収納バッグシステム。
【請求項１７】
請求項１０に記載の収納バッグシステムにおいて、前記回動フレームは、下降位置にあるとき、前記ワゴンと係合して前記回動フレームの回動を制限するようしたストッパを含む、収納バッグシステム。
【請求項１８】
請求項１０に記載の収納バッグシステムにおいて、前記折畳み式収納バッグは、フラップを含み、前記折畳み式収納バッグを前記ワゴンの前記側壁に固定するコネクタは、前記フラップに形成された穴と、該穴を貫通し且つ前記ワゴンの前記側壁と係合し得るようにした締結具とを含む、収納バッグシステム。
【請求項１９】
ワゴンにおいて、
ａ）側壁を有する本体と、
ｂ）前記本体に固定された複数の車輪と、
ｃ）拡張した形態と折り畳んだ形態との間にて可動である折畳み式収納バッグと、
ｂ）前記折畳み式収納バッグを前記ワゴンの前記側壁に装着するコネクタとを備える、ワゴン。
【請求項２０】
請求項１９に記載のワゴンにおいて、前記折畳み式収納バッグは、後側パネルと、カバーとを含み、前記折畳み式収納バッグの前記後側パネル及び前記ワゴンの前記側壁には、コネクタが設けられ、前記後側パネル及びカバーは、ヒンジと、ジッパが設けられた側部端縁及び頂部端縁とにより接続された底部端縁を特徴とし、折り畳んだ形態にある折畳み式収納バッグに相応する、前記ジッパが閉じた状態にあるとき、前記折畳み式収納バッグの他の部分が前記後側パネルとカバーとの間に保持され、前記ジッパが開いた状態にあるとき、前記後側パネル及び前記折畳み式収納バッグの前記他の部分に対して回動する前記カバーは、拡張して、前記折畳み式収納バッグを拡張した形態に配置するようにした、ワゴン。
【請求項２１】
請求項２０に記載のワゴンにおいて、前記コネクタは、ノブコネクタと、前記折畳み式収納バッグの前記後側パネルと、前記ワゴンの前記側壁との間に配置されたスロットコネクタとを含む、ワゴン。
【請求項２２】
請求項２１に記載のワゴンにおいて、前記ノブコネクタは、前記折畳み式収納バッグの前記後側パネルに装着され、前記スロットコネクタは、前記ワゴンの前記側壁と接続される、ワゴン。
【請求項２３】
請求項１９に記載のワゴンにおいて、前記ワゴンの前記側壁の回りに少なくとも部分的に巻かれるフラップを含むシートパッドを更に備える、ワゴン。
【請求項２４】
請求項２３に記載のワゴンにおいて、前記シートパッドは、締結装置を含む上側フラップと、下側フラップとを含み、これにより、前記上側及び下側フラップは、前記ワゴンの前記側壁の回りにて互いに固定される、ワゴン。
【請求項２５】
請求項１９に記載のワゴンにおいて、前記折畳み式収納バッグは、上側部分と、下側部分とを更に含み、該下側部分は、アクセサリバッグの前記下側部分が拡張した形態に拡張し、且つ折り畳んだ形態に縮退することを許容する閉鎖要素を含む、ワゴン。
【請求項２６】
請求項２５に記載のワゴンにおいて、前記閉鎖要素は、前記折畳み式収納バッグの前記下側部分の回りに巻かれるスパイラルジッパを含む、ワゴン。
【請求項２７】
請求項１９に記載のワゴンにおいて、前記ワゴンの第二の側壁と係合し得るようにしたアクセサリバッグを更に備え、該アクセサリバッグは、少なくとも１つのボトルホルダを含む、ワゴン。
【請求項２８】
請求項２７に記載のワゴンにおいて、前記アクセサリバッグは、その間に中央通路が配置された１対のボトルホルダを含み、該中央通路は、前記ワゴンのハンドルを受け入れ得るようにした、ワゴン。
【請求項２９】
請求項１９に記載のワゴンにおいて、前記折畳み式収納バッグは、蓋と、後壁と、底部とを含み、前記収納バッグシステムは、
ｅ）前記折畳み式収納バッグの底部に装着されて、前記折畳み式収納バッグの前記折り畳んだ形態に相応する上昇位置と、前記折り畳み式収納バッグの前記拡張した形態に相応する、下降位置との間にて回動し得るように前記ワゴンに回動可能に装着し得るようにした、回動フレームと、
ｆ）前記折畳み式収納バッグの前記蓋に装着した蓋締結具と、
ｇ）前記折畳み式収納バッグの前記後壁に装着した後壁締結具と、
ｈ）前記折畳み式収納バッグの前記底部に装着した底部締結具と、を更に備え、
ｉ）前記蓋締結具は、前記底部締結具と係合し、前記折畳み式収納バッグを折り畳んだ形態に固定し得るようにされ、前記蓋締結具は、前記折畳み式収納バッグが拡張した形態にあるとき、前記後壁締結具と係合し得るようにされた、ワゴン。
【請求項３０】
請求項２９に記載のワゴンにおいて、前記折畳み式収納バッグは、前記蓋締結具及び前記後壁締結具が係合したとき、前記開いた頂部を塞ぎ得るようにした前記蓋を有する開いた頂部を含む、ワゴン。
【請求項３１】
請求項２９に記載のワゴンにおいて、前記蓋締結具は、挿入バックルであり、前記後壁及び底部締結具は、受け入れバックルである、ワゴン。
【請求項３２】
請求項２９に記載のワゴンにおいて、前記回動フレームは、全体としてＵ字形である、ワゴン。
【請求項３３】
後車軸を更に備える、請求項２９に記載のワゴンにおいて、前記回動フレームは、回動する態様にて前記ワゴンの前記後車軸と係合し得るようにした少なくとも１つのスリーブを含む、ワゴン。
【請求項３４】
後車軸を更に備える、請求項２９に記載のワゴンにおいて、前記回動フレームは、回動する態様にて前記ワゴンの前記後車軸と係合し得るようにした少なくとも１つの全体としてＣ字形の端部分を含む、ワゴン。
【請求項３５】
請求項２９に記載のワゴンにおいて、前記折畳み式収納バッグの前記底部は、前記回動フレームを受け入れ得るようにしたポケットを含む、ワゴン。
【請求項３６】
請求項２９に記載のワゴンにおいて、前記回動フレームは、下降位置にあるとき、前記ワゴンと係合して前記回動フレームの回動を制限するようしたストッパを含む、ワゴン。
【請求項３７】
請求項２９に記載のワゴンにおいて、前記折畳み式収納バッグは、フラップを含み、前記折畳み式収納バッグを前記ワゴンの前記側壁に固定するコネクタは、前記フラップに形成された穴と、該穴を貫通し且つ前記ワゴンの前記側壁と係合する締結具とを含む、ワゴン。
【請求項３８】
請求項１９に記載のワゴンにおいて、後側壁を含み、前記折畳み式収納バッグは、該後側壁に装着される、ワゴン。
【発明の詳細な説明】
【技術分野】
【０００１】
［０００１］  本出願は、２０１０年１月１４日に出願した、現在係属中の米国仮特許出願第６１／２９５，０２４号及び２０１１年１月３日に出願した、現在係属中の米国仮特許出願第ｘｘ／ｘｘｘ，ｘｘｘ号の優先権を主張するものである。
【背景技術】
【０００２】
［０００２］  本発明は、全体として、子供用乗物、より特定的にはワゴンの収納バッグシステムに関する。
【先行技術文献】
【特許文献】
【０００３】
【特許文献１】米国特許第７，４８７，９７７号明細書
【発明の概要】
【発明が解決しようとする課題】
【０００４】
［０００３］  子供用ワゴンは、古くから人気のある遊び道具である。これらのワゴンは、荷物を引っ張ることができるように、側壁により取り囲んだ床を含む、スチール、プラスチック又は木で出来た本体を特徴としていることが多々ある。これと代替的に、子供は、ワゴンの床に座り又は膝を着くことがある。側壁は、全体として、壁の内側に配置された物品又は子供を維持する。場合によっては、ワゴンは、ワゴンの床に座り又は膝を着く子供がより快適な経験を得るようシートパッドを採用する。
【０００５】
［０００４］  更に、ワゴンは、開いたとき、足に十分にアクセスし、１人又はより多くの子供が実際にワゴン内にて座ることができるようにする折畳み式のシートパネルを特徴とすることがある。かかるワゴンの例は、同時に譲渡した米国特許第７，４８７，９７７号明細書に示されている。
【０００６】
［０００５］  しかし、先行技術のワゴンの運搬容量は、側壁により取り囲んだ面積に制限されることが多々ある。その結果、ワゴンに装着することができ、また、追加的な運搬容量及び収納能力を提供することのできる収納装置が必要とされている。
【図面の簡単な説明】
【０００７】
【図１】本発明の収納バッグシステムの１つの実施の形態と共に使用するのに適した先行技術のワゴンの斜視図である。
【図２】折畳み式収納バッグが拡張した形態にある、図１のワゴンの後側壁に装着した本発明の収納バッグシステムの第一の実施の形態の折畳み式収納バッグを示す後方斜視図である。
【図３】ワゴンの後側壁から除去した後の、図２の折畳み式収納バッグの正面斜視図である。
【図４】折畳んだ形態にある図２及び図３の折畳み式収納バッグの後方斜視図である。
【図５】図４の折畳み式収納バッグの側面図である。
【図６】図４及び図５の折畳み式収納バッグの後方図である。
【図７】図１のワゴンの正面壁に設置するのに適したアクセサリバッグの正面斜視図である。
【図８】図７のアクセサリバッグの後方斜視図である。
【図９】図７のアクセサリバッグの部分側面図である。
【図１０】シートパッドを設置する前の図１の正面側及び後側シートパッド並びにワゴンを示す分解斜視図である。
【図１１】シートパッドをワゴンに設置する状態を示す、図１０のシートパッド及びワゴンの斜視図である。
【図１２】１２Ａは図１０及び図１１のパッドを設置する更なるステップを示す図１０及び図１１のワゴンの正面側壁の斜視図である。                       １２Ｂは図１０及び図１１のパッドを設置する更なるステップを示す図１０及び図１１のワゴンの正面側壁の斜視図である。             １２Ｃは図１０及び図１１のパッドを設置する更なるステップを示す図１０及び図１１のワゴンの正面側壁の斜視図である。
【図１３】正面及び後方シートパッドが設置され、図２−６の折畳み式収納バッグ及び図７−９のアクセサリバッグの設置状態を示す、図１−１２Ｃのワゴンの斜視図である。
【図１４】１４Ａは図２−６及び図１３の折畳み式収納バッグの設置状態を示す、図１３のワゴンの後側壁の斜視図である。              １４Ｂは図２−６及び図１３の折畳み式収納バッグの設置状態を示す、図１３のワゴンの後側壁の斜視図である。              １４Ｃは図２−６及び図１３の折畳み式収納バッグの設置状態を示す、図１３のワゴンの後側壁の斜視図である。              １４Ｄは図２−６及び図１３の折畳み式収納バッグの設置状態を示す、図１３のワゴンの後側壁の斜視図である。
【図１５】本発明の収納バッグシステムの第二の実施の形態にてワゴンの後側部分及び回動フレームの斜視図である。
【図１６】１６Ａはフレームが上昇した位置にある、見る者に最寄の車輪を除去した側面図である。              １６Ｂはフレームが下降した位置にある、見る者に最寄の車輪を除去した側面図である。
【図１７】折畳み式収納バッグのフレームポケットの開放状態を示す、本発明の収納バッグシステムの第二の実施の形態の折畳み式収納バッグを示す斜視図である。
【図１８】折畳み式収納バッグを図１５−１６Ｂの回動フレームに設置する状態を示す斜視図である。
【図１９】回動フレーム上に部分的に設置され、且つ部分的に拡張した形態にある折畳み式収納バッグを示す、図１５−１６Ｂのワゴンの後部分の斜視図である。
【図２０】折畳み式収納バッグをワゴンの後車軸に設置する状態を示す、図１９のワゴンの底面図である。
【図２１】２１Ａは折畳み式収納バッグの頂部分をワゴンの後側壁に設置する状態を示す、図１９−２０のワゴンの後側部分の後方斜視図である。              ２１Ｂは折畳み式収納バッグの頂部分をワゴンの後側壁に設置する状態を示す、図１９−２０のワゴンの後側部分の正面斜視図である。
【図２２Ａ】２２Ａは折畳み式収納バッグが設置され、また、拡張した形態から折畳んだ形態にバッグを形態変更する状態を示す、図１９−２１Ｂのワゴンの後側部分の斜視図である。
【図２２Ｂ】２２Ｂは折畳み式収納バッグが設置され、また、拡張した形態から折畳んだ形態にバッグを形態変更する状態を示す、図１９−２１Ｂのワゴンの後側部分の斜視図である。
【図２２Ｃ】２２Ｃは折畳み式収納バッグが設置され、また、拡張した形態から折畳んだ形態にパッグを形態変更する状態を示す、図１９−２１Ｂのワゴンの後側部分の斜視図である。
【図２２Ｄ】２２Ｄは折畳み式収納バッグが設置され、また、拡張した形態から折畳んだ形態にパッグを形態変更する状態を示す、図１９−２１Ｂのワゴンの後側部分の斜視図である。
【図２３】本発明の収納バッグシステムの第三の実施の形態に従ったワゴンの後側部分の斜視図である。
【図２４】本発明の第三の実施の形態の折畳み式収納バッグが折畳んだ形態にあり、また、ワゴンの後側壁に設置される過程にある、図２３のワゴンの後側部分の斜視図である。
【図２５】収納バッグがワゴンの後側壁に設置された、図２４のワゴン及び折畳み式収納バッグの斜視図である。
【図２６】第三の実施の形態の折畳み式収納バッグが拡張した形態にあり、また、ワゴンの後側壁に設置される過程にある、図２３のワゴンの後側部分の斜視図である。
【図２７】収納バッグがワゴンの後側壁に設置された、図２６のワゴン及び折畳み式収納バッグの斜視図である。
【図２８Ａ】２８Ａはワゴンの後側壁に取り付けられた本発明の収納バッグシステムの第四の実施の形態を示し、且つ拡張した形態と折畳んだ形態との間のバッグの移動を示す、斜視図である。
【図２８Ｂ】２８Ｂはワゴンの後側壁に取り付けられた本発明の収納バッグシステムの第四の実施の形態を示し、且つ拡張した形態と折畳んだ形態との間のバッグの移動を示す、斜視図である。
【図２８Ｃ】２８Ｃはワゴンの後側壁に取り付けられた本発明の収納バッグシステムの第四の実施の形態を示し、且つ拡張した形態と折畳んだ形態との間のバッグの移動を示す、斜視図である。
【図２８Ｄ】２８Ｄはワゴンの後側壁に取り付けられた本発明の収納バッグシステムの第四の実施の形態を示し、且つ拡張した形態と折畳んだ形態との間のバッグの移動を示す、斜視図である。
【図２９】２９Ａは回動フレームをバッグに組み付ける状態を示す、図２８Ａ−２８Ｄの折畳み式収納バッグの拡大斜視図である。              ２９Ｂは回動フレームをバッグに組み付ける状態を示す、図２８Ａ−２８Ｄの折畳み式収納バッグの拡大斜視図である。              ２９Ｃは回動フレームをバッグに組み付ける状態を示す、図２８Ａ−２８Ｄの折畳み式収納バッグの拡大斜視図である。
【図３０Ａ】３０Ａは図２８Ａ−２９Ｃの折畳み式アクセサリバッグを図２８Ａ−２８Ｄのワゴンに組み付ける状態を示す斜視図である。
【図３０Ｂ】３０Ｂは図２８Ａ−２９Ｃの折畳み式アクセサリバッグを図２８Ａ−２８Ｄのワゴンに組み付ける状態を示す斜視図である。
【図３０Ｃ】３０Ｃは図２８Ａ−２９Ｃの折畳み式アクセサリバッグを図２８Ａ−２８Ｄのワゴンに組み付ける状態を示す斜視図である。
【図３０Ｄ】３０Ｄは図２８Ａ−２９Ｃの折畳み式アクセサリバッグを図２８Ａ−２８Ｄのワゴンに組み付ける状態を示す斜視図である。
【図３１】３１Ａは図２８Ａ−３０Ｄの折畳み式アクセサリバッグの頂部フレームのばねクリップの側面図である。              ３１Ｂは図２８Ａ−３０Ｄの折畳み式アクセサリバッグの頂部フレームのばねクリップの正面図である。
【図３２】３２Ａは図２８Ａ−３０Ｄの折畳み式収納バッグの頂部分を図２８−２８Ｄの任意のワゴンに組み付ける状態を示す斜視図である。              ３２Ｂは図２８Ａ−３０Ｄの折畳み式収納バッグの頂部分を図２８−２８Ｄの任意のワゴンに組み付ける状態を示す斜視図である。
【発明の開示】
【課題を解決するための手段】
【０００８】
［００３８］  図示したワゴンに関して本発明の収納バッグシステムの実施の形態を以下に説明するが、本発明の収納バッグシステムは、その他の一般的な乗物のみならず、その他の型式の乗物と共に使用することができることを理解すべきである。
【０００９】
［００３９］  本発明の収納バッグシステムの第一の実施の形態と共に使用するのに適した先行技術のワゴンの一例は、図１に全体として参照番号２で示されている。理解し得るように、ワゴンは、１対の側部側壁８ａ、８ｂと、第一のすなわち正面側壁３と、第二のすなわち後側壁４と、本体５と、本体の底部に装着した４つの車輪６と、ハンドル７とを含み、該ハンドルは、典型的に、ワゴンの本体の正面に又はワゴンの前輪が装着される回動ボルスタの何れかに装着される。ワゴンは、これと代替的に、単一の側壁又は任意の数の側壁又は側壁の一部分を含むようにしてもよい。
【発明を実施するための形態】
【００１０】
［００４０］  本発明の収納バッグシステムの第一の実施の形態の折畳み式収納バッグ１２は、図２に示したように、図１のワゴンに装着される。折畳み式収納バッグ１２は、後側壁４の外側に対向して配設され且つ以下により詳細に説明するように、該後側壁と係合する。折畳み式収納バッグの表面材料は、ポリエステル、ナイロン、トリコット又はフリースを含むことが好ましいが、これと代替的に、皮革、綿布、バーラップ又はその他の適当な代替物又は上記のものの任意の組み合わせ物としてもよい。
【００１１】
［００４１］  図３に示したように、全体として参照番号１２で示した折畳み式収納バッグは、下側部分１３を含み、該下側部分１３は、図２、及び図３に示したように、バッグを図３に示した拡張した形態に置き得るように引き延ばし又は図４に示した折り畳んだ形態に縮退させることができる。図３に示したように、折畳み式収納バッグは、また、上側部分１４も含み、該上側部分１４は、上側部分の頂部付近にて上側部分の後側に配置されることが好ましいストラップコネクタ１５ａ、１５ｂを有している。これと代替的に、以下により詳細に説明するコネクタは、折畳み式収納バッグ上のその他の適当な位置に配置することができる。コネクタは、折畳み式収納バッグに縫い付けることが好ましいが、これと代替的に、糊付け、接着剤による接着又は任意のその他の適当な態様にて装着することができる。更に、折畳み式収納バッグは、図２のストラップハンドル１６のような、ハンドルを含むことが好ましい。
【００１２】
［００４２］  図３−６に示したように、折畳み式収納バッグ１２の下側部分１３は、折畳み式収納バッグの下側部分が伸び且つ縮退するのを許容する閉鎖要素を保持する。図３−６に示したように、閉鎖要素は、下側部分の回りに巻かれるジッパ、より好ましくは、スパイラルジッパ１７であることが好ましい。その閉じた位置にて、スパイラルジッパは、折畳み式収納バッグを折り畳んだ形態（図４）に維持し、この形態は、内側ライニング１８（図３）を折畳み式収納バッグ内にて完全に取り巻く。ユーザは、スパイラルジッパを折畳み式収納バッグの下側部分の回りにて引っ張り、これによりスパイラルジッパを係合離脱させ且つ折畳み式収納バッグの下側部分を図３に示した、その拡張した形態とすることにより、折畳み式収納バッグをその拡張した形態に変換する。折畳み式収納バッグの下側部分が開いたとき、内側ライニングは現れて、下側部分の外面の一部分を形成する。ユーザは、スパイラルジッパを折畳み式収納バッグの下側部分の回りにて反対方向に引っ張り、これによりスパイラルジッパを再係合させ、且つ折畳み式収納バッグの下側部分をその折り畳んだ位置に縮退させ、また、内側ライニングを隠すことにより、折畳み式収納バッグを図４−６に示したその折り畳んだ形態に変換して戻す。図３−６に示したように、折畳み式収納バッグは、正面ポケット２２と、側部ポケット２３と、蓋２４とを保持することが好ましい。バッグの蓋、下側部分及びポケットは、ジッパにて取り巻かれることが好ましいが、これと代替的に、ベルクロ（ＶＥＬＣＲＯ）閉鎖要素、クランプ、フック、磁石、クリップ、ボタン、スナップ、タイ又はその他の適当な閉鎖要素を使用してもよい。
【００１３】
［００４３］  折畳み式収納バッグ１２は、５ｍｍの独立気泡形態である絶縁体を保持することが好ましいが、これと代替的に、折畳み式収納バッグ内の物品を冷たく又は温かく保つのに十分な任意の適当な絶縁性材料又は充填材料としてもよい。折畳み式収納バッグは、また、折畳み式収納バッグの剛性を維持するボードを含むことが好ましい。該ボードは、１ｍｍのポリエチレン（ＰＥ）ボードであることが好ましいが、これと代替的に、任意の適当な剛性又は半剛性の材料としてもよく、また、図３、図５に参照番号２５で示したように、剛性な後側パネルを形成するよう折畳み式収納バッグの内側に配置されることが好ましい。
【００１４】
［００４４］  ワゴンの正面側壁（図１にて参照番号３）に装着し得るようにしたアクセサリバッグが図７−９に全体として参照番号４２で示されている。図７に示したように、アクセサリバッグは、アクセサリバッグの頂部付近にてアクセサリバッグの全体として平坦な後側部４３に配置されることが好ましいストラップコネクタ４９ａ、４９ｂを含む。これと代替的に、コネクタは、アクセサリバッグのその他の適当な位置に配置してもよい。コネクタは、アクセサリバッグに縫い付けることが好ましいが、これと代替的に、糊付け、接着剤による接着又は任意のその他の適当な態様にて装着してもよい。アクセサリバッグ４２の表面材料は、ポリエステル、ナイロン、トリコット又はフリースを含むことが好ましいが、皮革、綿布、バーラップ又は任意のその他の適当な布地又は材料としてもよい。アクセサリバッグは、また、補助的なアクセサリバッグの剛性を維持するようポリエチレンにて製造することが好ましいボードを含むことも好ましいが、該ボードは、半剛性の後側パネル４３（図８）を形成するよう補助アクセサリバッグの内側に配置されることが好ましい。
【００１５】
［００４５］  図７−９に示したように、アクセサリバッグは、弾性部分４５ａ、４５ｂをそれぞれ特徴とする１対のボトルホルダ４４ａ、４４ｂを保持することが好ましい。アクセサリバッグは、また、側部ポケット４６ａ、４６ｂと、キークリップ４７（図９）とを含む。このため、アクセサリバッグは、キー又は札入れのような少数の個人用物品と共に、１つ又はより多くの水ボトル５２を保持している。ボトルホルダ４４ａ、４４ｂは、メッシュ布地を含むことが好ましい。側部ポケット４６ａ、４６ｂは、ジッパ５４ａ、５４ｂにてそれぞれ取り巻かれることが好ましいが、これと代替的に、ベルクロ接続具、クランプ、フック、磁石、クリップ、ボタン、スナップ、タイ又は任意のその他の適当な閉鎖装置としてもよい。好ましくは、アクセサリバッグは、中央通路４８（図７）を特徴とし、該中央通路４８は、ワゴンのハンドル７（図１）がアクセサリバッグの一部分の間にて又はその一部分に対向して休止することを許容するものとする。
【００１６】
［００４６］  図１０及び図１１に全体として参照番号６２、６４で示した正面側シートパッド及び後側シートパッドは、ワゴンの正面側壁３及び後側壁４にそれぞれ装着し得るようにされている。正面側シートパッド６２は、パッド部分６６と、上側フラップ６７と、下側フラップ６８とを含む。後側シートパッド６４は、同様に、パッド部分７２と、上側フラップ７４と、下側フラップ７６とを含む。各シートパッドのパッド部分は、１２ｍｍ及び６ｍｍの独立気泡フォーム材及び６ｍｍの連続気泡フォーム材を含む内側パッド材を保持することが好ましい。これと代替的に、パッド材は、適当な絶縁性材料又は充填材料を含む任意の柔軟な材料としてもよい。上側及び下側フラップの各々は、ワゴンの側壁の一部分の回りに巻かれ且つ締結装置を介して互いに接続しシートパッドをワゴンに装着する。より特定的には、図１２Ａにて正面側シートパッド６２について示したように、上側フラップ６７は、正面壁３の端縁上に配置される一方、下側フラップ６８は、ワゴンの正面側壁３に形成された開口部７８を貫通している。図１２Ｂに示したように、下側フラップは、最初に折り畳んでフックアンドループ締結具のパネル８２が露出するようにする。上側フラップ６７の下側部には、下側フラップ６８のパネル８２に相応するフックアンドループ締結具の材料のパネルが設けられている。その結果、上側フラップ６７が図１２Ｃに示したように、下側フラップ６８の上に折り畳まれたとき、正面側シートパッドは、ワゴンの正面側壁に固定される。同様の仕方にて後側シートパッド６４をワゴンの後側壁に装着するためには、同様の手順を繰り返す。上側フラップ及び下側フラップの締結装置は、ベルクロ（又は任意のその他のフックアンドループ締結材料）を含むことが好ましいが、これと代替的に、ジッパ、クランプ、フック、磁石、クリップ、ボタン、スナップ、タイ又は任意のその他の適当なコネクタを使用することができる。更に、何れかのシートパッドの上側フラップ及び下側フラップは、側壁の回りに巻かれてそれ自体が係合して側壁に装着する単一のフラップにて置換してもよい。更に、シートパッドのフラップは、シートパッドをワゴンに恒久的に装着する単一の材料片にて置換してもよい。各シートパッド６２、６４は、搭乗者がワゴンに乗っている間、寄り掛かり、より一層の快適さが得られるようにする。
【００１７】
［００４７］  図１３に示したように、折畳み式収納バッグ１２のコネクタストラップ１５ａ、１５ｂには、受け入れバックル８６ａ、８６ｂと係合し得るようにした挿入バックル８４ａ、８４ｂがそれぞれ設けられている。アクセサリバッグ４２のコネクタストラップ４９ａ、４９ｂには、同様に、受け入れバックル９２ａ、９２ｂと係合し得るようにした、挿入バックル８８ａ、８８ｂがそれぞれ設けられている。これと代替的に、コネクタストラップには、１対の（又は任意の数の）ベルクロコネクタ、ジッパ、クランプ、フック、磁石、クリップ、ボタン、スナップ、タイ又は任意のその他の適当なコネクタを設けることができる。
【００１８】
［００４８］  図１４Ａ−１４Ｄに示したように、折畳み式収納バッグ１２のコネクタストラップ１５ａ、１５ｂは、ワゴンの側壁の回りに巻き付け、また、挿入バックル８４ａ、８４ｂは、受け入れバックル８６ａ、８６ｂと係合し、折畳み式収納バッグ１２をワゴンの側壁４の外側に対して装着する。図１４Ｃに示したように、折畳み式収納バッグ１２の２つのコネクタストラップ１５ａ、１５ｂは、後側壁の内面上に取り付けた後側シートパッド６４の下側フラップ７４の両側部上に配置されている。このことは、側壁との一体化した組立体を形成し、また、バッグ及びシートパッドが互いに干渉しない組立体を形成する。図１３に示したように、アクセサリバッグ４２のコネクタストラップ４９ａ、４９ｂは、正面側シートパッド６２の上側フラップ６７に対するのと同様の仕方にてワゴンの正面側壁３に装着する。
【００１９】
［００４９］  次に、本発明の収納バッグシステムの第二の実施の形態について図１５−２２Ｄに関して説明する。この実施の形態にて折畳み式収納バッグは、図１５、１６Ａ及び図１６Ｂにて全体として参照番号１０２で示した回動フレームによりワゴン１００の後側に支持されている。回動フレームは、剛性なスチールワイヤーにて製造されることが好ましく、また、Ｕ字形部分１０５と、クロス部材１０８と、回動フレームのＵ字形部分の端部に装着した１対のスリーブ１１２ａ、１１２ｂとを特徴としている。スリーブ１１２ａ、１１２ｂは、ワゴンの後車軸１０９を受け入れる（図１５の詳細部分１１４を参照）。その結果、回動フレーム１０２は、ワゴンの後車軸１０９により規定された軸線の回りにて図１６Ａに示した上昇位置と、図１５、図１６Ｂに示した下降位置との間を回動する。回動フレームは、また、ストッパ１１７を含み、該ストッパは、ワゴン１００の底部１１８と係合して可動支え材が下降位置を超えて回転し且つ（又は）回動するのを制限する。
【００２０】
［００５０］  回動フレーム１０２は、これと代替的に、ワゴンの車軸ではなくて、ワゴンの本体に直接、ピン、ボルト、別個の車軸及びその他の回動可能な締結装置等によって回動可能に装着してもよいことを理解すべきである。
【００２１】
［００５１］  収納バッグシステムの第二の実施の形態による折畳み式収納バッグは、図１７−２０に参照番号１２０で示されている。該バッグは、開口部と、隣接するコネクタストラップ１２４ａ、１２４ｂ、１２６ａ、１２６ｂを有するフレームポケット１２２を含む。ストラップ１２４ａ、１２６ａには、ストラップ１２４ｂ、１２６ｂのような合わさるフックアンドループ締結具（ベルクロのような）が設けられている。コネクタストラップは、ベルクロ、ジッパ、クランプ、フック、磁石、クリップ、ボタン、スナップ、タイ又は任意のその他の適当なコネクタのような締結具を特徴としており、このため、コネクタストラップは車軸の回りに通し且つ互いに締結して使用することができる（以下に説明するように）。図１８、図１９に示したように、ユーザは、回動フレーム１０２をフレームポケット１２２内に配置することにより折畳み式収納バッグ１２０を回動フレーム１０２に装着する。回動フレーム１０２は、また、図２０にてポケット１２２内に完全に挿入した状態にて仮想線で示されている。次に、図２０の矢印１３２、１３４にて示したように、ストラップ５０ａ、５２ａはワゴンの後車軸１０９の回りにて互いに締結させる。その結果、回動フレーム、従って、バッグ１２０の底部１３６は、ワゴンの後車軸に回動可能に固定される。
【００２２】
［００５２］  折畳み式収納バッグ１２０の表面材料は、ポリエステル、ナイロン、トリコット又はフリースの組み合わせ物であることが好ましいが、これと代替的に、皮革、綿布、バーラップ又は任意のその他の適当な代替物又は上記のものの任意の組み合わせ物としてもよい。
【００２３】
［００５３］  図２１Ａ、図２１Ｂに示したように、ワゴン１００の後側壁１３８は、１対の除去可能なボルト１４２ａ、１４２ｂの形態にてコネクタを介して折畳み式収納バッグ１２０に装着される。より特定的に、図２１Ａ、図２１Ｂに示したように、ワゴン１３８の後壁は、１対の開口１４４を保持し（図２１Ｂ）、また、折畳み式収納バッグ１２０はフラップ１４６を特徴としている。フラップ１４６には、１対の穴１４８ａ、１４８ｂが設けられ、該穴を通して除去可能なボルトが互換可能に挿入され且つ除去される。ユーザは、折畳み式収納バッグのフラップ１４６をワゴンの後側壁１３８の頂端縁の上方に配置し、折畳み式収納バッグのフラップ１４６の穴１４８ａ、１４８ｂを図２１Ｂに示したように、ワゴンの開口１４４と整合させ、除去可能なボルトを穴を通して開口内に挿入し、これにより折畳み式収納バッグの頂部分をワゴンの後側壁１３８に固定することにより折畳み式収納バッグ１２０の頂部分をワゴンに装着する。勿論、除去可能なボルト以外の締結具を使用してバッグのフラップをワゴンの後側壁に固定することができる。これらの締結具は、ねじ、プラグ、プラスチック接続具又は任意のその他の適当な代替物を含むが、これらにのみ限定されるものではない。これと代替的に、恒久的接続のため、リベット等を使用してもよい。また、除去可能なボルト、開口及び穴により形成された除去可能な接続具は、代替的に、摺動接続具、磁性接続具、接着剤接続具、ベルクロ接続具又は任意のその他の適当な代替物としてもよい。
【００２４】
［００５４］  図２２Ａ−２２Ｄに示したように、全体として参照番号１２０で示し、且つワゴン１００の後側壁に装着される折畳み式収納バッグは、開放した頂部１５２（図２２Ｂ）と、１対の対向する側壁１５４ａ、１５４ｂと、蓋１５６と、後壁１５８と、底部１３６（図２２Ｄ）とを含む。次に説明するように、折畳み式収納バッグは、図２２Ａに示した拡張した形態から図２２Ｄに示した収縮した形態まで折り畳み又は収縮させることができる。
【００２５】
［００５５］  蓋１５６は、ストラップ１６２を含む一方、折畳み式収納バッグの後壁及び底部の各々は、ストラップ１６４を含む。ストラップは、折畳み式収納バッグ１２０に縫い付けることが好ましいが、これと代替的に、糊付け、接着剤による接着又は任意のその他の適当な仕方にて装着してもよい。蓋上に配設されたストラップ１６２には、挿入バックル１６６の形態をした蓋締結具と、底部に配設されたストラップ１６４とが設けられ、また、折畳み式収納バッグの後壁には、後壁を受け入れるバックル１６８（図２２Ａ、図２２Ｂ）の形態をした後壁締結具と、底部を受け入れるバックル１７０（図２２Ｃ、図２２Ｄ）の形態をした底部締結具とがそれぞれ設けられている。これと代替的に、バックルは、１組みのベルクロコネクタ、ジッパ、クランプ、フック、磁石、クリップ、ボタン、スナップ、タイ又は任意のその他の適当な接続装置にて置換してもよい。
【００２６】
［００５６］  図２２Ａに示したように、折畳み式収納バッグ１２０が拡張した形態にあるとき、蓋１５６を使用して、バッグの開いた頂部を塞ぎ、挿入バックル１６６が後壁の受け入れバックル１６８と係合し、蓋をその位置に固定することができる。この拡張した形態にあるとき、回動フレームは、図１５及び図１６Ｂに示した下降位置にある。回動フレーム及び折畳み式収納バッグが図１６Ｂに示したように拡張した形態にあるとき、ストッパ１１７はワゴン１１８の底部と係合し、且つ可動支え材と、折畳み式収納バッグと、及びワゴンの通常の使用中、折畳み式収納バッグの内部に配置される任意の物品とを支持する。
【００２７】
［００５７］  バッグ１２０を折り畳んで折り畳んだ形態にするため、第一のステップは、ユーザが図２２Ｂに示したように、挿入バックル１６６を後壁の受け入れバックルから切り離すことである。次に、ユーザは、矢印１７２で示したようにバッグの底部１３６をワゴンの後壁１３８に向けて回動させる。これを行うとき、図１６Ｂの回動フレーム１０２は、反時計回りに回動する。この運動は、図２２Ｃにて矢印１７４で示すように継続する一方、バッグの蓋１５６は持ち上げられ、このため折り畳むバッグはその下方を通ることができる。次に、図２２Ｄに示したように、バッグの蓋１５６はバッグの底部１３６の上方に位置し、蓋の挿入バックル１６６は、底部の受け入れバックル１７０と係合するよう配置される。その結果、バッグ１２０は、図２２Ｄに示した折り畳んだ形態にて固定される。バッグが図２２Ｄに示した折り畳んだ形態にあるとき、回動フレーム１０２は、図１６Ａに示した上昇位置にある。その結果、バッグが折り畳んだ形態にあるとき、回動フレーム、従って折畳み式収納バッグは、ワゴンの後側壁の外面に対しコンパクトに配置される。
【００２８】
［００５８］  次に、本発明の収納バッグシステムの第三の実施の形態について、図１５−２２Ｄに関して説明する。図２３に示したように、全体として参照番号２０２ａ、２０２ｂで示した１対のスロットコネクタは、全体として参照番号２０８で示したワゴンの後側壁２０６に形成した凹所２０４ａ、２０４ｂ内に配置される。スロットコネクタは、インサート２１２ａ、２１２ｂ及びねじ２１４ａ、２１４ｂによりその位置に固定される。勿論、接着剤又はリベットを含むがこれらにのみ限定されない代替的な締結装置を使用してスロットコネクタを凹所内に固定することができる。更に、スロットコネクタは、これと代替的に、ワゴンの後側壁２０６内に一体的に成形してもよい。
【００２９】
［００５９］  第一の対の切欠き２１６ａ、及び第二の対の切欠き２１６ｂは、同様に、後側壁２０６の底端縁に形成されている。
【００３０】
［００６０］  図２３に示したように、スロットコネクタ２０２ａは、基部２２０ａにより取り囲んだスロット２１８ａを含む。スロットは、拡大部分２２２ａを有している。スロットコネクタ２０２ｂは、同様に、基部２２０ｂにより取り囲んだスロット２１８ｂを有している。スロットは、拡大部分２２２ｂを有している。
【００３１】
［００６１］  図２４及び図２５に示したように、全体として参照番号２２３で示した、この実施の形態における折畳み式収納バッグは、その接続した底端縁に沿って布地に接続されてヒンジ２２８が形成されるようにする、後側パネル２２４及びカバー２２６を含む。後側パネル２２４は、折畳み式収納バッグの剛性を維持するボードを含むことが好ましい。該ボードは、１ｍｍのポリエチレン（ＰＥ）ボードであることが好ましいが、これと代替的に、任意の適当な剛性又は半剛性の材料としてもよく、また、折畳み式収納バッグの内部に配置され剛性又は半剛性の後側パネルを形成するようにすることが好ましい。折畳み式収納バッグ２２３の表面材料は、ポリエステル、ナイロン、トリコット又はフリースを含むことが好ましいが、これと代替的に、皮革、綿布、バーラップ又は任意のその他の適当な代替物又は上記のものの任意の組み合わせ物としてもよい。
【００３２】
［００６２］  図２４に示したように、後側パネル２２４には、ノブコネクタ２３２ａ、２３２ｂが設けられている。ノブコネクタの各々は、相応する軸によりコネクタの基部と接続された拡大ヘッド部分２３４ａ、２３４ｂを特徴とする。ノブコネクタのヘッド部分２３４ａ、２３４ｂは、拡大部分２２２ａ、２２２ｂ、スロットコネクタ２０２ａ、２０２ｂをそれぞれ通過するが、スロット２１８ａ、２１８ｂの他の部分を通過させない寸法とされている。ノブコネクタ２３２ａ、２３２ｂの軸は、スロット２１８ａ、２１８ｂの他の部分を通って摺動し、ノブの拡大ヘッド部分２３４ａ、２３４ｂがスロットの拡大部分２２２ａ、２２２ｂを通して挿入されたとき、ノブコネクタは、下方に摺動し且つスロットコネクタ２０２ａ、２０２ｂと係止係合状態となることができる。ノブ及びスロットコネクタを切り離すためには、この過程を逆に行う。
【００３３】
［００６３］  ノブコネクタ及びスロットコネクタは、デュラフレックス（ＤＵＲＡＦＬＥＸ）にて製造することが好ましいが、これと代替的に、プラスチック、木、金属又は任意のその他の適当な材料としてもよい。
【００３４】
［００６４］  図２４に更に示したように、折畳み式収納バッグ２２３の後側パネル２２４は、また、１対の弾性ループ２３６ａ、２３６ｂを含む。ノブコネクタ２３２ａ、２３２ｂがスロットコネクタ２０２ａ、２０２ｂと接続されたとき、後側壁２０６の底端縁に形成した第一及び第二の対の切欠き２１６ａ、２１６ｂと係合し得るようなループの寸法及び配置とされている。
【００３５】
［００６５］  上記のことに鑑みて、図２４、図２５にて折り畳んだ形態にて示した折畳み式収納バッグは、上述したように、ノブコネクタ２３２ａ、２３２ｂをスロットコネクタ２０２ａ、２０２ｂと接続することによりワゴンの後側壁２０６に取り付けることができる。次に、弾性ループ２３６ａ、２３６ｂを切欠き２１６ａ、２１６ｂを通して配置する。その結果、折畳み式収納バッグ２２３は、図２５に示したように、コンパクトで且つ確実な形態にてワゴン２０８の後壁に装着される。
【００３６】
［００６６］  図２６について説明する。後側パネル２０４及びカバー２０６の頂端縁２４０、側端縁２４２、及び２４４には、閉じた状態にあるとき、後側パネル及びカバーの頂端縁及び側端縁を互いに閉じるジッパ２４６が設けられている。バッグの他の部分は、折り畳まれ且つ、ジッパが閉じた状態にあるとき、また、折畳み式収納バッグが折り畳んだ形態にあるとき、後側パネル及びカバーにより形成された「クラムシエル」の内部に収納される。
【００３７】
［００６７］  折畳み式収納バッグ２２３は、図２６を参照して、第一の解放ジッパ２４６により図２７に示した拡大した形態に配置し、開いた状態に置き、また、バッグを矢印２５２、２５４で示したように、展開し且つ拡大させてバッグが全体として参照番号２５６で示した中間の形態となるようにする。バッグの中間の実施の形態２５６にて示したように、第二の上方対のノブコネクタ２５８ａ、２５８ｂは、図２７に示したように、ワゴン２０８の折畳みシート２６３の後側部に形成した１対のスロットコネクタ２６２ａ、２６２ｂと接続する。ノブコネクタ２５８ａ、２５８ｂは、ノブコネクタ２３２ａ、２３２ｂと同一の構造を特徴とする一方、スロットコネクタ２６２ａ、２６２ｂは、スロットコネクタ２０２ａ、２０２ｂと同一の構造であり、このため、同一の態様にて作用することを特徴とする。
【００３８】
［００６８］  図２７について説明する。折畳み式収納バッグ２２３の頂部は、拡張した形態にあるとき、開いており、また、開いた頂部を塞ぐため、蓋２６４及び相応する締結具２６６が設けられている。拡張した形態にあるとき、ジッパの正面側ポケット２６８も露出している。
【００３９】
［００６９］  折畳み式収納バッグには、絶縁した下方区画が設けられ、該下方区画は、ジッパにて着脱できる内壁（図示せず）により、非絶縁の上方区画から分離するようにすることが好ましい。バッグの絶縁した下方区画の中身には、図２７のジッパ２７２により上方区画の中身を妨害することなく、アクセスすることができる。ジッパにて着脱できる内壁は、ジッパ２７２の真上にてバッグ２２３の内面の回りに配置されている。ジッパにて着脱できる内壁をジッパにて開けて、バッグの上方及び下方区画を単一の大きい内側区画に変換することができる。
【００４０】
［００７０］  次に、本発明の収納バッグシステムの第四の実施の形態について図２８Ａ−３２Ｂに関して説明する。この実施の形態の折畳み式収納バッグは、図２８Ａ−２８Ｄにて全体として参照番号３１０で示されており、また、ワゴン３１２の後壁３１１に装着した状態で示されている。バッグは、内側区画を規定する本体３１４と、蓋３１６とを特徴としている。以下により詳細に示すように、バッグは、また、ワゴン３１２の後車軸の回りを回動する回動フレームが設けられた底部３２４を特徴としている。折畳み式収納バッグ３１０の表面材料は、ポリエステル、ナイロン、トリコット又はフリースを含むことが好ましいが、これと代替的に、皮革、綿布、バーラップ又は任意のその他の適当な代替物又は上述のものの任意の組み合わせ物としてもよい。
［００７１］  図２８Ａ及び図２８Ｂに示したように、バッグは、頂部挿入バックル３１９の形態をした頂部締結具が設けられた頂部ストラップ３１８と、後壁を受け入れるバックル３２１の形態をした後壁締結具が設けられた後側ストラップ３２０とを特徴としている。図２８Ｃ及び図２８Ｄについて説明する。バッグは、底部受け入れバックル３２３の形態をした底部締結具が設けられた底部ストラップ３２２も特徴としている。
【００４１】
［００７２］  バッグは、図２８Ａの拡大図３２５にて示すように、頂部挿入バックル３１９を後側受け入れバックル３２１から除去し、図２８Ｂ、図２８Ｃにて矢印３２６、３２８で示したようにバッグの底部３２４を、反時計回りに又は上方に回動させ、図２８Ｄに示したように頂部挿入バックル３１９を底部受け入れるバックル３２３に締結することにより、図２８Ａに示した拡張した形態から図２８Ｄに示した折り畳んだ形態に折り畳むことができる。
【００４２】
［００７３］  図２９Ａ−２９Ｃに示したように、折畳み式収納バッグ３１０は、開放した底部を有するポケット３３０を特徴としている。図２９Ｂに示したように、全体として参照番号３３４で示した回動フレームは、剛性なスチールワイヤーにて製造されることが好ましく、また、Ｕ字形部分３３６と、クロス部材３３８と、全体としてＣ字形の１対の端部分３４０ａ、３４０ｂとを特徴としている。図２９Ｂに矢印３４２で示したように、回動フレームのＵ字形部分３３６は、バッグ３１０のポケット３３０内に挿入される。その結果、図２９Ｃに示したように、回動フレームのＣ字形の端部分３４０ａ、３４０ｂのみが露出される。
【００４３】
［００７４］  図３０Ａ−３０Ｄは、図２９Ａ−３９Ｃに関して説明したように、回動フレームを挿入した後、バッグ３１０をワゴンに装着するステップを示す。バッグの底部には、フックアンドループ締結具ストラップ３５０ａ、３５２ａ３５０ｂ、３５２ｂが設けられている。ストラップ３５０ａ、３５２ａ、３５０ｂ、３５２ｂのフックアンドループ締結具（ベルクロ）は、当該技術にて既知のその他の装着又は締結装置にて置換してもよい。
【００４４】
［００７５］  図３０Ａに矢印３５４、３５６で示したように、ストラップは、最初に、互いに分離させる。図３０Ｂに示したように、回動フレームのＣ字形の端部分３４０ａ、３４０ｂは、次に、ワゴン３１２の後車軸３６２と係合するように配置する（矢印３６４、３６６で示したように）。図３０Ｃ、図３０Ｄの矢印３６８、３７２にてそれぞれ示したように、ストラップ３５０ａ、３５２ａは、ワゴンの後車軸３６２の回りにて互いに締結される。ストラップ３５０ｂ、３５２ｂは、また、後車軸３６２の回りにて互いに締結されている。その結果、回動フレームに従ってバッグ３１０の底部３２４は、ワゴンの後車軸に回動可能に固定されている。
【００４５】
［００７６］  図２８Ａ−３０Ｄのバッグ３１０の頂部フレームのばねクリップ３７４は、図３１Ａ、図３１Ｂに示されている。図３１Ａに示したように、ばねクリップ３７４は、平坦部分３７６と、湾曲部分３７８とを含み、このため、全体としてフック形状体が形成される。図３２Ａ、図３２Ｂに示したように、ワゴンバッグ３１０は、コネクタフラップ３８０を特徴としており、該コネクタフラップ内にて２つ又はより多くの頂部フレームのばねクリップ３７４の湾曲部分（図３１Ａ及び図３１Ｂの３７８）が縫い付けられている。頂部フレームのばねクリップの平坦部分３７６は、バッグの後側パネル３８２内に縫い付けられている。図３２Ａ及び図３２Ｂにて矢印３９０、３９２で示したように、フラップ３８０は、ばねクリップ３７４のため、ワゴンの後壁３１１の頂部と係合し且つ該頂部を把持してバッグをワゴンに固定するコネクタとして機能する。
【００４６】
［００７７］  上記の説明から、本発明の特定の実施の形態について説明の目的のため記述したが、本発明の思想又は範囲から逸脱せずに、色々な変更例を具体化することができることが理解されよう。このため、上記の詳細な説明は、限定的ではなく、単に説明であることを意図するものであり、また、全ての等価物を含む、以下の請求の範囲は、本発明の主題とみなされる事項を特定的に指摘し且つ明確に請求の範囲に記載したものである。
【符号の説明】
【００４７】
２      先行技術の一例としてのワゴン
３      ワゴンの正面側壁
４      後側壁．
５      本体
６      車輪
７      ハンドル
８ａ    １対の側部側壁
８ｂ    １対の側部側壁
１２    第一の実施の形態の折畳み式収納バッグ
１３    下側部分
１４    上側部分
１５ａ  ストラップコネクタ
１５ｂ  ストラップコネクタ
１６    ストラップハンドル
１７    スパイラルジッパ
１８    内側ライニング
２２    正面ポケット
２３    側部ポケット
２４    蓋
２５    折畳み式収納バッグの内側
４２    アクセサリバッグ
４３    半剛性の後側パネル
４４ａ  １対のボトルホルダ
４４ｂ  １対のボトルホルダ
４５ａ  弾性部分
４５ｂ  弾性部分
４６ａ  側部ポケット
４６ｂ  側部ポケット
４７    キークリップ
４８    中央通路
４９ａ  ストラップコネクタ
４９ｂ  ストラップコネクタ
５２    水ボトル
５４ａ  ジッパ
５４ｂ  ジッパ
６２    正面側シートパッド
６４    及び後側シートパッド
６６    パッド部分
６７    上側フラップ
６８    下側フラップ
７２    パッド部分
７４    上側フラップ
７６    下側フラップ
【図１】
2011157062.tif 000003
【図２】
2011157062.tif 000004
【図３】
2011157062.tif 000005
【図４】
2011157062.tif 000006
【図５】
2011157062.tif 000007
【図６】
2011157062.tif 000008
【図７】
2011157062.tif 000009
【図８】
2011157062.tif 000010
【図９】
2011157062.tif 000011
【図１０】
2011157062.tif 000012
【図１１】
2011157062.tif 000013
【図１２】
2011157062.tif 000014
【図１３】
2011157062.tif 000015
【図１４】
2011157062.tif 000016
【図１５】
2011157062.tif 000017
【図１６】
2011157062.tif 000018
【図１７】
2011157062.tif 000019
【図１８】
2011157062.tif 000020
【図１９】
2011157062.tif 000021
【図２０】
2011157062.tif 000022
【図２１】
2011157062.tif 000023
【図２２Ａ】
2011157062.tif 000024
【図２２Ｂ】
2011157062.tif 000025
【図２２Ｃ】
2011157062.tif 000026
【図２２Ｄ】
2011157062.tif 000027
【図２３】
2011157062.tif 000028
【図２４】
2011157062.tif 000029
【図２５】
2011157062.tif 000030
【図２６】
2011157062.tif 000031
【図２７】
2011157062.tif 000032
【図２８Ａ】
2011157062.tif 000033
【図２８Ｂ】
2011157062.tif 000034
【図２８Ｃ】
2011157062.tif 000035
【図２８Ｄ】
2011157062.tif 000036
【図２９】
2011157062.tif 000037
【図３０Ａ】
2011157062.tif 000038
【図３０Ｂ】
2011157062.tif 000039
【図３０Ｃ】
2011157062.tif 000040
【図３０Ｄ】
2011157062.tif 000041
【図３１】
2011157062.tif 000042
【図３２】
2011157062.tif 000043
【外国語明細書】
2011157062000001.pdf